(57)【要約】【課題】  基準値を上回るダイオキシンなどの有機塩素化合物を含んだ大量の浚渫土を低コストで大幅に減水化・減容化でき、かつ低温でダイオキシンを基準値以下に確実に処理し、その浄化土を資源として再利用し得る浚渫土の処理方法を提供すること。【解決手段】  浚渫土１００に水１０１を加え、攪拌して泥水１０２を作り、この泥水１０２を礫・砂１０３やごみと、スラリー１０４とに分別し、礫・砂１０３を洗浄して路床材等に利用し、スラリー１０４を高圧フィルタープレス１６に高圧で打ち込み、脱水して脱水ケーキ１０７を作り、この脱水ケーキ１０７を破砕し、その破砕ケーキ１０７’に脱塩素添加剤１１４を添加して混合し、その混合ケーキ１１５を加熱・乾燥処理して減水化・減容化し、混合ケーキの乾燥処理土１１７を加熱・浄化処理して浄化土１２２を作り、この浄化土１２２を有用土として利用するようにした。【選択図】      図１−３
2005074334.tif 000002
【特許請求の範囲】
【請求項１】
港湾や湖，河川の底泥を採取して得た浚渫土（１００）に水（１０１）を加えて攪拌し、礫やごみを破砕するとともに、均質な泥水（１０２）を作り、
この泥水（１０２）を礫・砂（１０３）と、ごみと、スラリー（１０４）とに分別し、
礫・砂（１０３）を洗浄し、洗浄水をスラリーとして処理し、
礫・砂（１０３）を取り除いたスラリー（１０４）に、凝集材とＰＨ調整剤を添加して、これらを攪拌し、
前記凝集材とＰＨ調整剤を混合したスラリー（１０４）を高圧フィルタープレス（１６）に、高圧で打ち込み、
この高圧フィルタープレス（１６）でスラリー（１０４）を脱水して脱水ケーキ（１０７）を作り、
この高圧フィルタープレス（１６）から排出される濾水（１０８）を酸化・中和し、スラッジ（１１２）を凝集して捕集し、濾布（１７）の洗浄水（１０９）をスラリーとして処理し排水処理をした後、放流し、
前記脱水ケーキ（１０７）を破砕するとともに、破砕ケーキ（１０７’）に脱塩素添加剤（１１４）を攪拌・混合して混合ケーキ（１１５）を作り、
前記混合ケーキ（１１５）を攪拌しつつ移動させ、その間に間接加熱により混合ケーキ（１１５）を加熱して、乾燥・浄化処理を行い、
混合ケーキ（１１５）が含有するダイオキシンなどの有機塩素化合物を分解するとともに、分解析出した塩素成分と添加混合した脱塩素添加剤（１１４）とを接触化学反応させて、無害な塩化物に置換生成することで、混合ケーキ（１１５）が含有するダイオキシンなどの有機塩素化合物を除去して浄化土（１２２）を作り、
前記混合ケーキ（１１５）の加熱処理時に分解析出する水蒸気ガス（１１９）、分解ガス（１２３）を高温で燃焼させ、かつ粉塵を捕集し、排ガスを浄化処理して大気中に排出する
ことを特徴とする浚渫土の処理方法。
【請求項２】
前記浄化土（１２２）を洗浄水（１２６）で水洗いし、浄化土（１２２）に含まれる塩分を取り除くことを特徴とする請求項１記載の浚渫土の処理方法。
【請求項３】
浚渫土（１００）を受け入れ、この浚渫土（１００）と加えられた水（１０１）とを攪拌しつつ移動させ、礫やごみなどを破砕するとともに均質な泥水（１０２）を作る解こう機（５）と、
前記泥水（１０２）を礫・砂（１０３）と、ごみ類と、スラリー（１０４）とに分別する土砂分離機（７）と、
分別された礫・砂（１０３）を洗浄する礫砂洗浄器（８）と、
礫・砂（１０３）を取り除いたスラリー（１０４）と、これに加えられた凝集材とＰＨ調整剤とを攪拌するスラリー槽（１３）と、
前記凝集材とＰＨ調整剤を混合したスラリー（１０４）を高圧で打ち込む高圧打ち込みポンプ（１５）と、打ち込まれたスラリー（１０４）を脱水し、脱水ケーキ（１０７）と濾水（１０８）を作る高圧フィルタープレス（１６）と、
前記高圧フィルタープレス（１６）から排出された濾水（１０８）を酸化・中和し、スラッジ（１１２）を凝集して捕集し、浄水に処理する排水浄化設備と、
前記脱水ケーキ（１０７）を破砕し、破砕ケーキ（１０７’）を作る解砕機（２９）と、
前記破砕ケーキ（１０７’）と、加えられた脱塩素添加剤（１１４）とを攪拌・混合し、混合ケーキ（１１５）を作る混合機（３６）と、
前記混合ケーキ（１１５）を受け入れ、攪拌しつつ移動させ、その間に加熱して、乾燥・浄化処理する第一および第二熱処理炉（４２），（４４）と、
前記混合ケーキ（１１５）の乾燥・浄化時に出る乾留ガスを高温で燃焼させ、かつ粉塵を捕集し、排ガスを浄化する排ガス浄化装置とを備えて構成した、
ことを特徴とする浚渫土の処理装置。
【請求項４】
前記浄化土（１２２）を受け取り、洗浄水（１２６）で水洗いし、浄化土（１２２）に含まれている塩分を取り除く水洗い装置（５５）を備えた、
ことを特徴とする請求項３記載の浚渫土の処理装置。
【請求項５】
前記脱水ケーキの解砕機（２９）を、２軸を有し、羽根を歯車のように噛み合わせ、羽根を互いに逆方向に回転でき、かつ羽根の間隔，長さ，軸間距離，回転速度を変更可能に構成した、
ことを特徴とする請求項３記載の浚渫土の処理装置。
【請求項６】
前記破砕ケーキと脱塩素添加剤との混合機（３６）を、２軸を有し、羽根の間隔や角度，回転速度を変更可能に構成した、
ことを特徴とする請求項３記載の浚渫土の処理装置。
【請求項７】
前記水洗い装置（５５）を、諸部材を支持するスタンド（５８），（５９）と、ネットコンベア用の回転駆動系と、エンドレスの金網（６７）で形成されかつ前記回転駆動系に駆動連結されたこし網付きネットコンベア（６５）と、こし網付きネットコンベア（６５）上に載置された被処理土に洗浄水（１２６）を散布する洗浄シャワー装置（６８）と、被処理土洗浄後の排水を受け止める排水用樋（６９）とを備えて構成した、
ことを特徴とする請求項４記載の浚渫土の処理装置。
【請求項８】
浚渫土（１００）を受け入れ、この浚渫土（１００）と加えられた水（１０１）とを攪拌しつつ移動させ、礫やごみなどを破砕するとともに均質な泥水（１０２）を作る解こう機（５）と、
前記泥水（１０２）を礫・砂（１０３）と、ごみ類と、スラリー（１０４）とに分別する土砂分離機（７）と、
分別された礫・砂（１０３）を洗浄する礫砂洗浄器（８）と、
礫・砂（１０３）を取り除いたスラリー（１０４）と、これに加えられた凝集材とＰＨ調整剤とを攪拌するスラリー槽（１３）と、
前記凝集材とＰＨ調整剤を混合したスラリー（１０４）を高圧で打ち込む高圧打ち込みポンプ（１５）と、打ち込まれたスラリー（１０４）を脱水し、脱水ケーキ（１０７）と濾水（１０８）を作る高圧フィルタープレス（１６）と、
前記高圧フィルタープレス（１６）から排出された濾水（１０８）を酸化・中和し、スラッジ（１１２）を凝集して捕集し、浄水に処理する排水浄化設備と、
前記脱水ケーキ（１０７）を破砕し、破砕ケーキ（１０７’）を作るとともに、加えられた脱塩素添加剤（１１４）とを攪拌・混合し、混合ケーキ（１１５）を作る解砕混合機（２９’）と、
前記混合ケーキ（１１５）を受け入れ、攪拌しつつ移動させ、その間に加熱して、乾燥・浄化処理する第一および第二熱処理炉（４２），（４４）と、
前記混合ケーキ（１１５）の乾燥・浄化時に出る乾留ガスを高温で燃焼させ、かつ粉塵を捕集し、排ガスを浄化する排ガス浄化装置とを備えて構成した、ことを特徴とする浚渫土の処理装置。
【発明の詳細な説明】
【技術分野】
【０００１】
本発明は、港湾や湖，河川などの底泥で、基準値を上回るダイオキシンなどの有機塩素化合物を含んでいる浚渫土を処理し、有効利用するための浚渫土の処理方法および装置に関する。
【背景技術】
【０００２】
港湾の底質土のダイオキシン濃度の基準として、１５０ｐｇ‐ＴＥＱ／ｇを超えないこととする環境基準が環境省から示されており、処理後の処理土は、この基準値以下とすることが必要になっている。しかして、処理後に例えば農業用土などに有効利用するためには、ダイオキシンなどの有機塩素化合物の含有量をさらに大幅に減量することが必要になる。
【０００３】
港湾や湖，河川などの底泥に基準値を上回るダイオキシンなどの有機塩素化合物が含まれている浚渫土を処理し、有効利用する技術として、従来さまざまな技術が試みられているが、そのいずれの技術も確実性やコスト，安全性などの点で不十分なものであった。
【０００４】
一方、従来ダイオキシン処理技術として、１３００℃の高温で溶融する技術や、ナトリウムと反応させて処理する技術が実施されているが、比較的含水率の低いごみや、プラスチック類，焼却灰が主体であり、浚渫土のような大量でかつ高含水比で、単位体積重量も大きいものは、そのまま処理すると、処理時間が長くなり、かつ多大なエネルギーを必要とするため、コストも高く、経済的に困難とされていた。
【０００５】
なお、汚染されている浚渫土を処理対象物としているものではないが、被処理物からダイオキシンなどの有機塩素化合物を除去する技術の特許文献としては、次のようなものがある。
【特許文献１】特開平１１−１９６１６号公報
【特許文献２】特開２００２−２８６０９号公報
【特許文献３】特開２００２−２０５０４９号公報
【発明の開示】
【発明が解決しようとする課題】
【０００６】
本発明は、上記の事情に鑑みなされたもので、その目的とするところは、基準値を上回るダイオキシンなどの有機塩素化合物を含んだ大量の浚渫土を、低コストでかつ低温でダイオキシンなどの有機塩素化合物を基準値以下に確実に処理し、その処理土を資源として再利用可能とし、さらには大量の浚渫土を低コストで大幅に減水化・減容化することができ、しかも浚渫土の処理後の排水や排気による環境汚染の問題をも未然に解消し得る浚渫土の処理方法を提供することにある。
【０００７】
また、本発明の他の目的は処理後の浄化土の塩分濃度を下げることで多目的(例えば農業用有用土，法面吹き付けの植生土または緑地土壌)に有効利用可能とする浚渫土の処理方法を提供することにある。
【０００８】
また、本発明の他の目的は前記本発明方法を的確に実施し得る浚渫土の処理装置を提供することにある。
【０００９】
また、本発明の他の目的は脱水ケーキを細かく、能率よく破砕し得る浚渫土の処理装置を提供することにある。
【００１０】
さらに、本発明の他の目的は破砕ケーキと脱塩素添加剤とを均一にかつ能率よく攪拌・搬送し得る浚渫土の処理装置を提供することにある。
【００１１】
さらにまた、本発明の他の目的は被処理土に含まれている塩分を効率よく取り除き得る浚渫土の処理装置を提供することにある。
【課題を解決するための手段】
【００１２】
前記目的を達成するため、請求項１記載の本発明方法では、港湾や湖，河川の底泥を採取して得た浚渫土１００に水１０１を加えて攪拌し、礫やごみを破砕するとともに、均質な泥水１０２を作り、この泥水１０２を礫・砂１０３と、ごみと、スラリー１０４とに分別し、礫・砂１０３を洗浄し、洗浄水をスラリーとして処理し、礫・砂１０３を取り除いたスラリー１０４に、凝集材とＰＨ調整剤を添加して、これらを攪拌し、前記凝集材とＰＨ調整剤を混合したスラリー１０４を高圧フィルタープレス１６に、高圧で打ち込み、この高圧フィルタープレス１６でスラリー１０４を脱水して脱水ケーキ１０７を作り、この高圧フィルタープレス１６から排出される濾水１０８を酸化・中和し、スラッジ１１２を凝集して捕集し、排水処理をした後、放流し、濾布１７の浄化水１０９をスラリーとして処理し、前記脱水ケーキ１０７を破砕するとともに、破砕ケーキ１０７’に脱塩素添加剤１１４を攪拌・混合して混合ケーキ１１５を作り、前記混合ケーキ１１５を攪拌しつつ移動させ、その間に間接加熱により混合ケーキ１１５を加熱して、乾燥・浄化処理を行い、混合ケーキ１１５が含有するダイオキシンなどの有機塩素化合物を分解するとともに、分解析出した塩素成分と添加混合した脱塩素添加剤１１４とを接触化学反応させて、無害な塩化物に置換生成することで、混合ケーキ１１５が含有するダイオキシンなどの有機塩素化合物を除去して浄化土１２２を作り、前記混合ケーキ１１５の加熱処理時に分解析出する水蒸気ガス１１９、分解ガス１２３を高温で燃焼させ、かつ粉塵を捕集し、排ガスを浄化処理して大気中に排出するようにしている。
【００１３】
また、前記目的を達成するため、請求項２記載の本発明方法では、前記浄化土１２２を洗浄水１２６で水洗いし、浄化土１２２に含まれる塩分を取り除くことで有用土（例えば塩分濃度を農作物に影響を与えない程度に減じ、農業用有用土１２８または緑地土壌）として利用するようにしている。
【００１４】
また、前記目的を達成するため、請求項３記載の本発明装置では、浚渫土１００を受け入れ、この浚渫土１００と加えられた水１０１とを攪拌しつつ移動させ、礫やごみなどを破砕するとともに均質な泥水１０２を作る解こう機５と、前記泥水１０２を礫・砂１０３とごみ類とスラリー１０４とに分別する土砂分離機７と、分別された礫・砂１０３を洗浄する礫砂洗浄器８と、礫・砂１０３を取り除いたスラリー１０４と、これに加えられた凝集材とＰＨ調整剤とを攪拌するスラリー槽１３と、前記凝集材とＰＨ調整剤を混合したスラリー１０４を高圧で打ち込む高圧打ち込みポンプ１５と、打ち込まれたスラリー１０４を脱水し、脱水ケーキ１０７と濾水１０８を作る高圧フィルタープレス１６と、前記高圧フィルタープレス１６から排出された濾水１０８を酸化・中和し、スラッジ１１２を凝集して捕集し、浄水に処理する排水浄化設備と、前記脱水ケーキ１０７を破砕し、破砕ケーキ１０７’を作る解砕機２９と、前記破砕ケーキ１０７’と、加えられた脱塩素添加剤１１４とを攪拌・混合し、混合ケーキ１１５を作る混合機３６と、前記混合ケーキ１１５を受け入れ、攪拌しつつ移動させ、その間に加熱して、乾燥・浄化処理する第一および第二熱処理炉４２，４４と、前記混合ケーキ１１５の乾燥・浄化時に出る乾留ガスを高温で燃焼させ、かつ粉塵を捕集し、排ガスを浄化する排ガス浄化装置とを備えて構成している。
【００１５】
また、前記目的を達成するため、請求項４記載の本発明装置では、前記浄化土１２２を受け取り、洗浄水１２６で水洗いし、浄化土１２２に含まれている塩分を取り除くことで有用土（例えば、塩分濃度を農作物に悪影響を与えない程度に減じ、浄化土１２２を農業用有用土１２８）として利用可能に処理する水洗い装置５５を備えている。
【００１６】
また、前記目的を達成するため、請求項５記載の本発明装置では、前記脱水ケーキの解砕機２９を、２軸を有し、羽根を歯車のように噛み合わせ、羽根を互いに逆方向に回転でき、かつ羽根の間隔，長さ，軸間距離，回転速度を変更可能に構成している。
【００１７】
さらに、前記目的を達成するため、請求項６記載の本発明装置では、前記破砕ケーキと脱塩素添加剤との混合機３６を、２軸を有し、羽根の間隔や角度，回転速度を変更可能に構成している。
【００１８】
さらにまた、前記目的を達成するため、請求項７記載の本発明装置では、前記水洗い装置５５を、諸部材を支持するスタンド５８，５９と、ネットコンベア用の回転駆動系と、エンドレスの金網６７で形成されかつ前記回転駆動系に駆動連結されたこし網付きネットコンベア６５と、こし網付きネットコンベア６５上に載置された被処理土に洗浄水１２６を散布する洗浄シャワー装置６８と、被処理土洗浄後の排水を受け止める排水用樋６９とを備えて構成している。
【００１９】
また、請求項８記載の本発明は、浚渫土１００を受け入れ、この浚渫土１００と加えられた水１０１とを攪拌しつつ移動させ、礫やごみなどを破砕するとともに均質な泥水１０２を作る解こう機５と、
前記泥水１０２を礫・砂１０３と、ごみ類と、スラリー１０４とに分別する土砂分離機７と、
分別された礫・砂１０３を洗浄する礫砂洗浄器８と、
礫・砂１０３を取り除いたスラリー１０４と、これに加えられた凝集材とＰＨ調整剤とを攪拌するスラリー槽１３と、
前記凝集材とＰＨ調整剤を混合したスラリー１０４を高圧で打ち込む高圧打ち込みポンプ１５と、打ち込まれたスラリー１０４を脱水し、脱水ケーキ１０７と濾水１０８を作る高圧フィルタープレス１６と、
前記高圧フィルタープレス１６から排出された濾水１０８を酸化・中和し、スラッジ１１２を凝集して捕集し、浄水に処理する排水浄化設備と、
前記脱水ケーキ１０７を破砕し、破砕ケーキ１０７’を作るとともに、加えられた脱塩素添加剤１１４とを攪拌・混合し、混合ケーキ１１５を作る解砕混合機２９’と、
前記混合ケーキ１１５を受け入れ、攪拌しつつ移動させ、その間に加熱して、乾燥・浄化処理する第一および第二熱処理炉４２，４４と、
前記混合ケーキ１１５の乾燥・浄化時に出る乾留ガスを高温で燃焼させ、かつ粉塵を捕集し、排ガスを浄化する排ガス浄化装置とを備えて構成している。
【発明の効果】
【００２０】
前述のごとく、請求項１記載の本発明方法では、スラリー１０４を高圧フィルタープレス１６に高圧で打ち込み、この高圧フィルタープレス１６でスラリー１０４を脱水して脱水ケーキ１０７を作り、この脱水ケーキ１０７を破砕するとともに、破砕ケーキ１０７’に脱塩素添加剤１１４を攪拌・混合して混合ケーキ１１５を作り、この混合ケーキ１１５を攪拌しつつ移動させ、その間に間接加熱により混合ケーキ１１５を加熱して乾燥処理し、混合ケーキ１１５に含有するダイオキシンなどの有機塩素化合物を分解するとともに、分解析出した塩素成分と添加混合した脱塩素添加剤１１４とを接触反応させて、無害な塩化物に置換生成し、混合ケーキ１１５に含有するダイオキシンなどの有機塩素化合物を除去して浄化土１２２を作るようにしているので、基準値を上回るダイオキシンなどの有機塩素化合物を含んだ大量の浚渫土１００の、その有機塩素化合物を低温で基準値以下に確実に処理し、その浄化土１２２を盛土用有用土１２５などに有効に使用し得る効果がある。また、本発明方法ではスラリー１０４を高圧フィルタープレス１６に高圧で打ち込み、この高圧フィルタープレス１６でスラリー１０４を脱水して脱水ケーキ１０７を作り、この脱水ケーキ１０７を破砕した破砕ケーキ１０７’に、脱塩素添加剤１１４を添加し、この破砕ケーキ１０７’と脱塩素添加剤１１４の混合ケーキ１１５を加熱し、その混合ケーキ１１５に含まれている有機分を炭化または灰化処理し、減水化・減容化して浄化土１２２とするようにしているので、大量の浚渫土を低コストで大幅に減水化・減容化し得る効果がある。さらに、本発明では高圧フィルタープレス１６から排出される濾水１０８へは、ダイオキシン類を酸化・中和し、スラッジ１１２を凝集して捕集し、排水処理基準を超すダイオキシンなどの有機塩素化合物を含まない水に排水処理した後、放流するようにしているので、排水による環境汚染の問題を未然に解消し得る効果がある。さらにまた、本発明方法では混合ケーキ１１５の加熱処理時に分解析出する水蒸気ガス１１９、分解ガス１２３を高温で燃焼させ、かつ粉塵を捕集し、浄化処理して空中に排出するようにしているので、排気による環境汚染の問題をも未然に解消し得る効果がある。
【００２１】
また、請求項２記載の本発明方法では、混合ケーキ１１５に含まれている有機分を炭化または灰化処理した前記浄化土１２２を洗浄水１２６で水洗いし、浄化土１２２が塩分を含有する場合には、この塩分を取り除くことで有用土（例えば、塩分濃度を農作物に悪影響を与えない程度に減じ、農業用有用土１２８または緑地土壌）として利用するようにしているので、処理土の有効利用をより一層促進し得る効果がある。
【００２２】
また、請求項３記載の本発明装置では、浚渫土１００を受け入れ、この浚渫土１００と加えられた水１０１とを攪拌しつつ移動させ、礫やごみなどを破砕するとともに均質な泥水１０２を作る解こう機５と、前記泥水１０２を礫・砂１０３と、ごみ類と、スラリー１０４とに分別する土砂分離機７と、分別された礫・砂１０３を洗浄する礫砂洗浄器８と、礫・砂１０３を取り除いたスラリー１０４と、これに加えられた凝集材とＰＨ調整剤とを攪拌するスラリー槽１３と、前記凝集材とＰＨ調整剤を混合したスラリー１０４を高圧で打ち込む高圧打ち込みポンプ１５と、打ち込まれたスラリー１０４を脱水し、脱水ケーキ１０７と濾水１０８を作る高圧フィルタープレス１６と、前記高圧フィルタープレス１６から排出された濾水１０８や濾布１７の洗浄水１０９を酸化・中和し、スラッジ１１２を凝集して捕集し、浄水に処理する排水浄化設備と、前記脱水ケーキ１０７を破砕し、破砕ケーキ１０７’を作る解砕機２９と、前記破砕ケーキ１０７’と、加えられた脱塩素添加剤１１４とを攪拌・混合し、混合ケーキ１１５を作る混合機３６と、前記混合ケーキ１１５を受け入れ、攪拌しつつ移動させ、その間に加熱して、乾燥・浄化処理する第一および第二熱処理炉４２，４４と、前記混合ケーキ１１５の乾燥・浄化時に出る乾留ガスを高温で燃焼させ、かつ粉塵を捕集し、無害化する乾留ガス浄化装置とを備えて構成しているので、浚渫土１００に水１０１を加えて攪拌し、礫やごみを破砕する工程を経て浄化土１２２を有用土として利用する工程に至る前記本発明方法を的確に実施し得る効果がある。
【００２３】
また、請求項４記載の本発明装置では、前記浄化土１２２が塩分を含有する場合、この浄化土を受け取り、洗浄水１２６で水洗いし、浄化土１２２に含まれている塩分を取り除き、有用土（例えば塩分濃度を農作物に悪影響を与えない程度に減じ、浄化土１２２を農業用有用土１２８）に利用可能に処理する水洗い装置５５を備えているので、浄化土１２２を水洗いする工程を経て農業用有用土１２８に利用する工程に至る前記本発明方法を的確に実施し得る効果がある。
【００２４】
また、請求項５記載の本発明装置では、前記脱水ケーキの解砕機２９を、２軸を有し、羽根をそれぞれ歯車のように噛み合わせ、羽根を互いに逆方向に回転でき、かつ羽根の間隔，長さ，回転速度を変更可能に構成しているので、作成された脱水ケーキ１０７の性状に合わせて羽根を調整することにより、脱水ケーキ１０７を細かく、能率よく破砕し得る効果がある。
【００２５】
さらに、請求項６記載の本発明装置では、前記破砕ケーキと脱塩素添加剤との混合機３６を、２軸を有し、羽根の間隔や角度，回転速度を変更可能に構成しているので、羽根を調整することによって、破砕ケーキ１０７’と、加えられた脱酸素添加剤１１４とを均一に攪拌できかつ能率よく搬送でき、さらには破砕ケーキ１０７’と脱塩素添加剤１１４の混合ケーキ１１５を定量排出できるという効果がある。
【００２６】
さらにまた、請求項７記載では、前記水洗い装置５５を、諸部材を支持するスタンド５８，５９と、ネットコンベア用の回転駆動系と、エンドレスの金網６７で形成されかつ前記回転駆動系に駆動連結されたこし網付きネットコンベア６５と、こし網付きネットコンベア６５上に載置された被処理土に洗浄水１２６を散布する洗浄シャワー装置６８と、こし網付きネットコンベア６５の下部に配置され，被処理土洗浄後の排水を受け止める排水用樋６９とを備えて構成しているので、被処理土である浄化土１２２に含まれている塩分を効率よく取り除き、減量し得る効果がある。
【００２７】
また、請求項８記載では、請求項３記載の発明の効果に加え、解砕機と混合機とを一つの装置としたので、その分、装置の簡略化を図り得、省スペース化、設備費の低減等を達成することができる。
【発明を実施するための最良の形態】
【００２８】
以下、本発明の実施の形態を図面に基づいて説明する。
【実施例１】
【００２９】
図１〜図６は本発明処理方法を実施するための処理装置の一例を示すもので、図１‐１〜図１‐３は処理装置の系統図、図２は同処理装置における混合ケーキの搬入装置と第一熱処理炉とダクト装置と第二熱処理炉とダクトの詳細を示す図、図３は浄化土の水洗い装置の平面図、図４は図３のＡ−Ａ線断面図、図５は同水洗い装置のこし網付きネットコンベアの側面図、図６は同こし網付きネットコンベアの一部の斜視図である。
【００３０】
本発明方法を実施するための処理装置のこの実施例に示すものは、図１‐１〜図１‐３に示すように、真空吸引浚渫船１またはグラブ浚渫船２と、浚渫土の受入ホッパ３と、浚渫土を搬送するコンベア４と、解こう機５と、土砂分離機（振動ふるい）７と、礫砂洗浄器８と、泥水受け槽９と、サイクロンポンプ１０およびサイクロン１１と、貯泥槽１２と、スラリー槽１３と、給泥ポンプ１４と、高圧打ち込みポンプ１５および高圧フィルタープレス１６と、高圧フィルタープレス用の濾布１７と、清水槽１８と、給水ポンプ１９と、濾布洗浄用高圧ポンプ２０と、高圧ジェッタ２１と、濾水槽２２と酸化・中和槽２３と凝集槽２４とシックナ２５と放流槽２６とを有する排水浄化設備と、高圧フィルタープレス１６の直下ベルトコンベア２７と、ケーキコンベア２８と、脱水ケーキの解砕機２９と、破砕されたケーキのケーキ受けホッパ３０と、ケーキ受けホッパ３０の下部に装備されたスクリューフィーダ３１と、ケーキのＲＩ水分・密度計３２および流量計３３と、脱塩素添加剤ホッパ３４と、脱塩素添加剤の自動供給機３５と、脱水ケーキの破砕ケーキと脱塩素添加剤の混合機３６と、混合ケーキコンベア３７と、混合ケーキホッパ３８と、混合ケーキ供給コンベア３９および計量器４０と、混合ケーキの乾燥炉である第一熱処理炉４２と、混合ケーキの浄化炉である第二熱処理炉４４と、第一熱処理炉４２に混合ケーキを搬入する搬入装置４１と、第一熱処理炉４２で処理された混合ケーキの乾燥処理土を第二熱処理炉４４へ送り込むダクト装置４３と、第二熱処理炉４４から浄化土を回収するダクト４５と、熱風炉４６と、熱源コントローラ４７と、空気−熱風熱交換器４８と、ガス燃焼炉４９と、バグフィルタ５０と排ガス分析設備５１とを有する排気浄化設備と、浄化土の水冷コンベア５２と、浄化土ホッパ５４と、浄化土の水洗い装置５５などを備えて構成されている。
【００３１】
前記解こう機５は、給水管６を備えている。また、解こう機５は外側と内側の羽根を有し、破砕する礫やごみなどの種類により羽根の角度，間隔，長さを変更可能に構成されている。そして、この解こう機５は礫やごみなどを破砕する機能と、加えた水と土砂との攪拌および移動を同時に行い得る機能とを持っている。
高圧フィルタープレス１６は、３〜５ＭＰａ程度の高圧で、脱水ケーキを作る装置であり、濾布１７の材質は例えばポリアミドフィルタークロスなどを用い、通気度は１０００ｃｍ３／ｃｍ２程度を用いる。材質や通気度は、土質、粒度分布によって変える。
【００３２】
前記解砕機２９は、２軸で羽根をそれぞれ歯車のように噛み合わせ、その羽根を互いに逆方向に回転させ、脱水ケーキを細かく破砕し得る機構を持っている。また、この解砕機２９は羽根の間隔，長さ，回転速度を変えられる機構を装備している。
【００３３】
前記混合機３６には、例えば２軸のパドル型混合機を用いる。この混合機３６は、羽根の間隔や角度，回転速度を変えられる機構を有している。なお、混合機３６の羽根の角度は、攪拌と搬送を兼ねさせるために、回転方向に対して３０°〜４５°程度傾けることが望ましい。
【００３４】
前記第一熱処理炉４２と第二熱処理炉４４とは、図１−３および図２に示すように、第一熱処理炉４２が上下方向の上位に、第二熱処理炉４４が下位に設置されている。
【００３５】
そして、前記第一熱処理炉４２の入口側には混合ケーキの搬入装置４１が設置され、また第一熱処理炉４２の出口側と第二熱処理炉４４の入口側とはダクト装置４３で連結され、さらに第二熱処理炉４３の出口側にはダクト４５が設けられている。
【００３６】
前記混合ケーキの搬入装置４１は、図２に示すように、混合ケーキの受入ホッパ４１ａと、スクリューコンベア４１ｂと、このスクリューコンベア用の回転駆動源４１ｃとを備えている。この搬入装置４１では、被処理物として破砕ケーキと脱塩素添加剤の混合ケーキ１１５の一定量を計量器４０から受入ホッパ４１ａで受け取り、スクリューコンベア４１ｂを通じて第一熱処理炉４２の入口に投入するようになっている。
【００３７】
前記第一熱処理炉４２は、図２に示すように、回転ドラム４２ａと、加熱ジャケット４２ｂと、回転ドラム４２ａの支持部および回転駆動部とを備えている。前記回転ドラム４２ａの内壁には、スパイラルまたは千鳥状に複数枚の送り羽根（図示省略）が取り付けられている。前記回転ドラム４２ａの支持部は、回転ドラム４２ａの入口側端部寄りに設けられた支持タイヤ４２ｃとフリー側支持ローラ４２ｄの組と、同回転ドラム４２ａの出口側端部寄りに設けられた支持タイヤ４２ｅと基点側支持ローラ４２ｆの組とにより、回転ドラム４２ａを回転自在に支持している。前記回転ドラム４２ａの回転駆動部は、回転駆動源４２ｇと、これに取り付けられた駆動スプロケット４２ｈと、回転ドラム４２ａに取り付けられた被動スプロケット４２ｉと、両スプロケット間に掛け渡されたエンドレスチェーン４２ｊとを備え、回転ドラム４２ａを予め決められた一方向に回転させるようになっている。前記加熱ジャケット４２ｂは、枠体（図示省略）に固定されている。そして、この第一熱処理炉４２では回転駆動部により回転ドラム４２ａを回転させ、送り羽根により混合ケーキを攪拌しつつ入口側から出口側に向かって移動させ、その間に加熱ジャケット４２ｂから供給された加熱媒体（熱風）により加熱・乾燥処理するようになっている。
【００３８】
前記ダクト装置４３は、図２に示すように、第一熱処理炉４２の出口側に取り付けられたダクト４３ａと、このダクト４３ａの下部にフレキシブル継手４３ｂを介して連結された混合ケーキの乾燥処理土の引渡ホッパ４３ｃと、この引渡ホッパ４３ｃの下部にフレキシブル継手４３ｄを介して連結されかつ第二熱処理炉４４の入口側に取り付けられたスクリューコンベア４３ｅとを備えている。そして、このダクト装置４３では、第一熱処理炉４２で乾燥された混合ケーキの乾燥処理土をダクト４３ａおよび引渡ホッパ４３ｃを経てスクリューコンベア４３ｅから第二熱処理炉４４に送り込むようになっている。
【００３９】
前記第二熱処理炉４４も、図２に示すように、回転ドラム４４ａと、加熱ジャケット４４ｂと、回転ドラム４４ａの支持部および回転駆動部とを備えている。前記回転ドラム４４ａの内壁にも、スパイラルまたは千鳥状に複数枚の送り羽根（図示省略）が取り付けられている。前記回転ドラム４４ａの支持部は、回転ドラム４４ａの入口側端部寄りに設けられた支持タイヤ４４ｃと基点側支持ローラ４４ｄの組と、同回転ドラム４２ａの出口側端部寄りに設けられた支持タイヤ４４ｅとフリー側支持ローラ４４ｆの組とにより、回転ドラム４４ａを回転自在に支持している。前記回転ドラム４４ａの回転駆動部は、回転駆動源４４ｇと、これに取り付けられた駆動スプロケット４４ｈと、回転ドラム４４ａに取り付けられた被動スプロケット４４ｉと、両スプロケット間に掛け渡されたエンドレスチェーン４４ｊとを与え、回転ドラム４４ａを予め決められた一方向に回転させるようになっている。前記加熱ジャケット４４ｂは、枠体（図示省略）に固定されている。この第二熱処理炉４４では、回転駆動部により回転ドラム４４ａを回転させ、送り羽根により混合ケーキの乾燥処理土を攪拌しつつ入口側から出口側に向かって移動させ、その間に加熱ジャケット４４ｂから供給された加熱媒体（熱風）により加熱し、混合ケーキに含有するダイオキシンなどの有機塩素化合物を除去して浄化土１２２を作るようになっている。
【００４０】
前記ダクト４５は、第二熱処理炉４４から浄化土１２２を回収し、水冷コンベア５２に送るようになっている。
【００４１】
前記冷却処理土の水洗い装置５５は、図３および図４に示すように、冷却処理土用樋５６と、諸部材を支持するスタンド５８，５９と、ネットコンベア用の回転駆動系と、こし網付きネットコンベア６５と、洗浄シャワー装置６８と、排水用樋６９と、洗浄処理土用のベルトコンベア７０と、洗浄処理土ホッパ７１とを備えて構成されている。
【００４２】
前記冷却処理土用樋５６の下部には、図４および図５に示すように、ゴムまたは軟質合成樹脂製などのスカート５７が取り付けられている。この冷却処理土用樋５６は、冷却処理土ホッパ５４から冷却処理土１２４を受け取り、スカート５７を通じてその冷却処理土１２４をこし網付きネットコンベア６５に引き渡すようになっている。
【００４３】
前記ネットコンベア用の回転駆動系は、回転駆動源（図示省略）と、図４〜図６に示すように、スタンド５８に回転自在に支持された駆動軸６０と、この駆動軸６０との間に所要の軸間距離をおいて配置されかつスタンド５９に回転自在に支持された被動軸６１と、駆動軸６０の両端部に取り付けられた２個一対の駆動スプロケット６２と、被動軸６１の両端部に取り付けられた２個一対の被動スプロケット６３と、前記駆動スプロケット６２と被動スプロケット６３間に掛け渡された２条一対のエンドレスチェーン６４とを備えている。そして、この回転駆動系はこし網付きネットコンベア６５を一定の速度で回動させるようになっている。
【００４４】
前記こし網付きネットコンベア６５は、図４，図５および図６から分かるように、互いに所要の軸間距離をおいて前記２条のエンドレスチェーン６４，６４間に取り付けられたステンレス製の多数のバー６６と、このバー６６の列の外側を覆うように掛け渡されたステンレス製でエンドレスの金網６７とを有して構成されている。しかして、このこし網付きネットコンベア６５は冷却処理土用樋５６から冷却処理土１２４を受け取って搬送し、搬送途中で洗浄シャワー装置６８から散布された洗浄水１２６で洗浄した後、その洗浄処理土１２７をベルトコンベア７０の方向に搬送し、引き渡すようになっている。
【００４５】
前記洗浄シャワー装置６８は、図３および図４に示すように、前述の高圧ジェッタ２１および給水ポンプ１９を通じて清水槽１８に連絡されており、高圧ジェッタ２１を通じて洗浄水１２６としての清水を、こし網付きネットコンベア６５上の冷却処理土１２４に散布し、冷却処理土１２４を洗浄処理するようになっている。
【００４６】
前記排水用樋６９は、図４に示すように、こし網付きネットコンベア６５の下部に配置されかつスタンド５８，５９に固定されている。そして、この排水用樋６９は、冷却処理土１２４を洗浄した後の排水を受け止め、回収して放流するようになっている。
【００４７】
前記ベルトコンベア７０は、こし網付きネットコンベア６５で洗浄処理された洗浄処理土１２７を受け取り、洗浄処理土ホッパ７１へ搬送する。
【００４８】
前記洗浄処理土ホッパ７１は、ベルトコンベア７０から洗浄処理土１２７を受け取り、貯留する。
【００４９】
次に、前記実施例の処理装置の作用に関連して、本発明処理方法の一例を説明する。
【００５０】
まず、港湾，湖，河川などの底泥を真空吸引浚渫船１やグラブ浚渫船２などで採取する。
【００５１】
前記真空吸引浚渫船１で採取した場合は、その浚渫土１００をパイプ輸送により受入ホッパ３に搬送し、貯留する。前記グラブ浚渫船２で採取した場合は、その浚渫土１００を土運船２’などで受入ホッパ３まで搬送し、貯留する。
【００５２】
いったん受入ホッパ３に貯留した浚渫土１００を、ベルトコンベア４により解こう機５まで搬送し、投入する。真空吸引浚渫船１からのパイプ輸送では、パイプから直接解こう機５に投入してもよい。
【００５３】
前記解こう機５では、浚渫土１００に給水管６を通じて、土砂分離機７で分離を容易にするために必要な量の水１０１を加える。その水１０１の量は、例えば浚渫土１００の含水比が２００％程度であれば、その約２倍の量を加える。そして、この解こう機５では大礫やごみを破砕するとともに、浚渫土１００と水１０１とを攪拌し、均質な泥水１０２を作る。その泥水濃度は、２０％程度とする。
【００５４】
前記土砂分離機（振動ふるい）７では、前記泥水１０２を礫・砂１０３と、ごみと、スラリー１０４に分別する。礫・砂１０３は、粒径別に分離し、礫砂洗浄器８で洗浄し、洗浄水１０５はポンプで泥水受け槽９へ送る。洗浄した礫・砂１０３は、路床材，裏込め材，海浜材やコンクリートの骨材などに有効に利用する。ごみは、産業廃棄物として処分する。礫・砂１０３およびごみを除いたスラリー１０４を、ポンプで泥水受け槽９へ入れる。
【００５５】
前記スラリー１０４を、泥水受け槽９からサイクロンポンプ１０によりサイクロン１１を経て貯留槽１２へ圧送する。
【００５６】
ついで、前記スラリー１０４を貯留槽１２からスラリー槽１３へ送り、スラリー１０４に凝集材およびＰＨ調整材として、ＰＡＣ１０５と、消石灰１０６を必要量添加し、攪拌する。ＰＡＣ１０５と消石灰１０６の添加量は、浚渫土１００の土質にもよるが、それぞれ重量比でスラリー１０４の量の１〜３％程度添加する。
【００５７】
前記スラリー１０４をスラリー槽１３から給泥ポンプ１４で搬送し、そのスラリー１０４を高圧打ち込みポンプ１５（４Ｍｐａ）により高圧フィルタープレス１６に打ち込む。
【００５８】
前記スラリー１０４を高圧フィルタープレス１６（４Ｍｐａ）で脱水時間約６０分脱水し、含水比４０〜６０％程度の脱水ケーキ１０７を作る。
【００５９】
一方、清水槽１８から給水ポンプ１９により清水を汲み上げ、必要により清水の一部を濾布洗浄用高圧ポンプ２０により加圧し、濾布の洗浄水１０７として用い、この洗浄水１０７により濾布１７を洗浄する。
濾布の洗浄水１０７は、スラリーと同様に、泥水受け槽９へもどし、プレス処理する。
【００６０】
前記高圧フィルタープレス１６から排出される濾水１０８を排水浄化設備の濾水槽２２に貯留し、この濾水槽２２から酸化・中和槽２３、凝集槽２４、シックナ２５および放流槽２６を経て放流する。その放流水を図１‐２に符号１１３で示す。
【００６１】
前記酸化・中和槽２３では、濾水１０８や洗浄水１０９に酸化・中和剤１１０として、例えばＰＡＣや，希硫酸などを重量比で被処理水の量の１〜２％程度を加え、酸化・中和処理する。
【００６２】
前記凝集槽２４では、濾水１０８や洗浄水１０９に凝集材１１１として、例えば高分子凝集剤などを重量比で被処理水の量の０．０００５〜０．００１％程度を加え、凝集させる。
【００６３】
前記シックナ２５では、沈降したスラッジ１１２を捕集し、貯泥槽１２に戻して再処理する。
【００６４】
高圧フィルタープレス１６を用いることにより、脱水ケーキ１７にダイオキシンがほとんど取り込まれ濾水１０８へのダイオキシンの移行がないため、排出される濾水１０８のダイオキシン濃度は放流基準値（１０ｐｇ-ＴＥＱ／Ｌ）より、はるかに小さい値になる。従って、排水処理も、従来から行っている簡易な排水処理設備で排水処理するのみで、放流水１１３に含まれるダイオキシンなどの有機塩素化合物の含有量を基準以下の値に、確実に抑えることができる。したがって、排水による環境汚染の問題を未然に解消することができる。
【００６５】
また、脱水ケーキ１０７の含水比を４０〜６０％程度に脱水できるため、後工程で効率よく熱処理することができる。
【００６６】
前記脱水ケーキ１０７を直下ベルトコンベア２７とケーキコンベア２８により解砕機２９まで搬送する。
【００６７】
この解砕機２９は、前述のごとく、２軸で羽根をそれぞれ歯車のように噛み合わせる形で互いに逆方向に回転可能に構成されている。また、羽根の間隔，長さ，回転速度を可変に構成されている。この解砕機２９の羽根の間隔，長さ，回転速度を適正に調整し、前記脱水ケーキ１０７を細かく破砕し、その破砕ケーキ１０７’をケーキ受けホッパ３０に貯留する。なお、前記解砕機２９を、脱水ケーキ１０７の性状などにより複数台設けることもある。
【００６８】
前記ケーキ受けホッパ３０の下部には、スクリューフィーダ３１が装備されている。このスクリューフィーダ３１は、回転速度を変えることにより、排出速度を自由に選定することができる。このスクリューフィーダ３１の排出速度を適正に調整し、ケーキ受けホッパ３０から破砕ケーキ１０７’を取り出し、混合機３６に送り込む。
【００６９】
前記スクリューフィーダ３１の出口近傍には、ＲＩ水分・密度計３２と、流量計３３とが設けられている。
【００７０】
前記ＲＩ水分・密度計３２では、破砕ケーキ１０７’の単位体積重量や含水比を計測し、その計測結果を加熱媒体である熱風の熱源コントローラ４７に送る。
【００７１】
前記流量計３３では、スクリューフィーダ３１から排出される破砕ケーキ１０７’の排出量を計測し、その計測結果を脱塩素添加剤の自動供給機３５に送る。
【００７２】
前記混合機３６には、ケーキ受けホッパ３０からスクリューフィーダ３１を通じて破砕ケーキ１０７’を送り込み、脱塩素添加剤ホッパ３４からは自動供給機３５を通じて脱塩素添加剤１１４を投入する。
【００７３】
前記脱塩素添加剤１１４には、例えば粉末（１００μｍ以下）のアルカリ物質（例えば、炭酸水素ナトリウム，重炭酸ナトリウム（重そう），炭酸ナトリウムなど）を用いる。この脱塩素添加剤１１４を破砕装置（図示省略）を通じて砕いた後、脱塩素添加剤ホッパ３４に貯留し、自動供給機３５で脱塩素添加剤ホッパ３４から取り出し、混合機３６に供給し、破砕ケーキ１０７’に添加する。脱塩素添加剤１１４の添加量は、破砕ケーキ１０７’におけるダイオキシンなどの有機塩素化合物の含有率や破砕ケーキ１０７’の含水比によって決定する。例えば、破砕ケーキ１０７’に対し質量比で３〜１０％添加する。
【００７４】
前記混合機３６には、前述のごとく、２軸のパドル型混合機を用い、羽根の間隔や角度，回転速度を変えられるものを用いる。この混合機３６の使用に当たっては、破砕ケーキ１０７’の土質や量に合わせて羽根の間隔を選定する。また、破砕ケーキ１０７’と脱塩素添加剤１１４の攪拌と搬送を効率よく行い得るように、羽根をその回転方向に対して４５°程度に傾ける。さらに、混合機３６から排出される混合ケーキ１１５の排出量を定量にするために、羽根の回転速度を調整する。
【００７５】
そして、前記混合機３６にケーキ受けホッパ３０からスクリューフィーダ３１により破砕ケーキ１０７’を投入する一方、脱塩素添加剤ホッパ３４から自動供給機３５により脱塩素添加剤１１４を供給し、混合機３６の羽根で攪拌し、混合するとともに、回転軸の一端部側から他端部側に向かって搬送し、その混合ケーキ１１５を混合ケーキコンベア３７上に排出する。
【００７６】
前記破砕ケーキ１０７’に対して脱塩素添加剤１１４を、重量比で約５〜１０％程度添加することにより、浄化土に対するダイオキシンなどの有機塩素化合物の含有割合を１／１００〜１／１０００程度に減ずることができる。
【００７７】
前記破砕ケーキ１０７’と脱塩素添加剤１１４を混合した混合ケーキ１１５を、混合ケーキコンベア３７により混合ケーキホッパ３８に搬送し、貯留する。
【００７８】
前記混合ケーキホッパ３８から混合ケーキ１１５を混合ケーキ供給コンベア３９上に取り出し、計量器４０で計量し、混合ケーキ１１５の一定量を搬入装置４１で受け取って第一熱処理炉４２の回転ドラム４２ａに投入する。
【００７９】
一方、第一熱処理炉４２の加熱ジャケット４２ｂには、第二熱処理炉４４の加熱ジャケット４４ｂから加熱媒体として熱風１１６を送る。
【００８０】
そして、第一熱処理炉４２では回転ドラム４２ａを回転させ、複数枚の送り羽根により混合ケーキ１１５を攪拌しつつ、図２に矢印イで示す方向に移動させ、その間に熱風１１６により混合ケーキ１１５を間接加熱により乾燥させる。加熱ジャケット４２ｂから出る排気１１８を空気−熱風熱交換器４８に入れ、途中で排気１１８の一部１１８’を循環させて利用する。
【００８１】
前記第一熱処理炉４２で乾燥された混合ケーキの乾燥処理土１１７を、ダクト装置４３のダクト４３ａ、引渡ホッパ４３ｂを経てスクリューコンベア４３ｅから第二熱処理炉４４の回転ドラム４４ａに投入する。前記第一熱処理炉４２で混合ケーキ１１５を乾燥させることによって発生する水蒸気ガス１１９を、ダクト４３ａで回収し、ガス燃焼炉４９に導く。
【００８２】
前記第二熱処理炉４４では、回転ドラム４２ａを回転させ、複数枚の送り羽根により混合ケーキの乾燥処理土１１７を攪拌しつつ、図２に矢印ロで示す方向に移動させ、熱風炉４６から加熱ジャケット４４ｂに供給された加熱媒体である熱風１２０により前記乾燥処理土１１７を約５００〜６５０℃程度に間接加熱し、混合ケーキ１１５に含有するダイオキシンなどの有機塩素化合物を分解するとともに、分解析出した塩素成分と添加混合した脱塩素添加剤１１４とを接触反応させて、無害の塩素物に置換生成し、混合ケーキ１１５に含有するダイオキシンなどの有機塩素化合物を除去して浄化土１２２を作る。熱風炉４６から第二熱処理炉４４の加熱ジャケット４４ｂに送る熱風供給量を、熱源コントローラ４７でコントロールする。第二熱処理炉４４で混合ケーキの乾燥処理土１１７を加熱処理することによって分解選出する分解ガス１２３を、ガス燃焼炉４９に導く。
【００８３】
前述ごとく、混合ケーキ１１５を第二熱処理炉４４で約５００〜６５０℃で加熱処理することによって、ダイオキシンなどの有機塩素化合物の含有量を源泥の１／１００〜１／１０００に減ずることができ、ダイオキシン濃度の基準値としての１５０ｐｇ‐ＴＥＱ／ｇ以下に抑えることができる。
【００８４】
また、第一，第二熱処理炉４２，４４で混合ケーキ１１５を加熱処理することにより、混合ケーキ１１５に含まれている有機分が炭化・灰化処理され、これによって脱水ケーキ１０７の量を最終的に約１／２〜１／３程度に減容化した浄化土にすることができる。
【００８５】
前記第二熱処理炉４４で、混合ケーキ１１５に含有されたダイオキシンなどの有機塩素化合物を除去した浄化土１２２を第二熱処理炉４４からダクト４５に回収し、水冷コンベア５２に送る。
【００８６】
前記ガス燃焼炉４９では、第一熱処理炉４２から出る水蒸気ガス１１９と、第二熱処理炉４４から出る分解ガス１２３を取り込み、約８５０℃で２秒以上燃焼させ、バグフィルタ５０で浄化処理し、排気ブロアから煙突に送り、空中に排出する。したがって、排気による環境汚染の問題も未然に解消することができる。
【００８７】
また、ガス燃焼炉４９の排出ガスを空気−熱風熱交換器４８に送って熱回収して得た熱風は、熱風炉に供給して利用する。
【００８８】
排出ガスの成分は、排ガス分析設備５１により監視する。
【００８９】
前記水冷コンベア５２は、ウォータージャケット５３を備えている。このウォータージャケット５３に冷却水を入れ、水冷コンベア５２上に第二熱処理炉４４で処理された浄化土１２２を送り、短時間で冷却し、冷却処理された冷却処理土１２４を冷却処理土ホッパ５４に送って貯留する。
【００９０】
冷却処理土１２４を盛土などに利用する場合は、冷却処理土ホッパ５４から取り出してそのままか、または一般土砂と混合して盛土用有用土１２５として使用する。
【００９１】
冷却処理土１２４を、農業用土や法面吹き付けの植生土，緑地土壌などに利用する場合は、冷却処理土ホッパ５４から冷却処理土１２４を取り出して水洗い装置５５に送り、ここで洗浄処理する。
【００９２】
この水洗い装置５５は、前述のごとく、下部にゴムまたは軟質合成樹脂製などのスカート５７を有する冷却処理土用樋５６と、色々な部材を支持するスタンド５８，５９と、ネットコンベア用の回転駆動系と、回転駆動系にエンドレス状に掛け渡されたステンレス製の金網６７を有するこし網付きネットコンベア６５と、高圧ジェッタ２１および給水ポンプ１９を通じて清水槽１８に連絡された洗浄シャワー装置６８と、洗浄後の排水用樋６９と、洗浄処理土用のベルトコンベア７０と、洗浄処理土ホッパ７１とを備えて構成されている。
【００９３】
そこで、この水洗い装置５５では、冷却処理土ホッパ５４から冷却処理土１２４を取り出し、冷却処理土用樋５６に投入し、スカート５７を通じてこし網付きネットコンベア６５上に載置する。
【００９４】
前記こし網付きネットコンベア６５では、冷却処理土１２４を一定の速度でベルトコンベア７０の方向に搬送する。
【００９５】
こし網付きネットコンベア６５により冷却処理土１２４の搬送途中で、洗浄シャワー装置６８から洗浄水１２６を散布し、こし網付きネットコンベア６５上の冷却処理土１２４を水洗いする。
【００９６】
洗浄水１２６は、清水槽１８から清水を給水ポンプ１９で汲み上げ、高圧ジェッタ２１を通じて洗浄シャワー装置６８に送って散布する。
【００９７】
以上のように、冷却処理土１２４を水洗いすることによって、冷却処理土１２４に含まれている塩分を、農業用有用土１２８や法面吹き付けの植生土，緑地土壌などに使用するために全く支障のない濃度に減ずることができる。
【００９８】
前記こし網付きネットコンベア６５で水洗い処理した洗浄処理土１２７を、こし網付きネットコンベア６５からベルトコンベア７０に引き渡し、このベルトコンベア７０により洗浄処理土ホッパ７１まで搬送し、この洗浄処理土ホッパ７１に送って貯留する。ついで、洗浄処理土１２７を必要に応じて洗浄処理土ホッパ７１から取り出し、農業用有用土１２８や法面吹き付けの植生土，緑地土壌として有効に利用することができる。
【００９９】
一方、冷却処理土１２４を洗浄した後の排水は、こし網付きネットコンベア６５の下部に設置された排水用樋６９で受け止め、回収して放流する。
【０１００】
なお、この実施例において、水冷コンベア５２を省略し、第二熱処理炉４４で処理した浄化土１２２を直接水洗い装置５５に投入し、洗浄処理し、塩分を取り除くようにしてもよい。
【０１０１】
また、この実地例では、図１‐２に示したように、解砕機２９と、混合機３６を別々に設けているが、図１‐４に示すように、解砕と混合を１台でできる解砕混合機２９’を用いることもできる。この場合は、ケーキの投入量をケーキコンベア２８の速度、土量センサーなどで計測し、ケーキ量に合った脱塩素添加剤を添加する。なを、他の構成は図１‐２と同様である。
【０１０２】
以上の工程を経て処理することによって、基準値を上回るダイオキシンなどの有機塩素化合物を含んだ大量の浚渫土１００の、ダイオキシン濃度を基準値以下に、低コストで確実に処理し、その処理土を資源として再利用することができる。また、浚渫土１００に含まれているＰＣＢの濃度も低減することができる。
【０１０３】
さらに、浚渫土１００を効率よく、したがって低コストで、大幅に減水化・減容化することができる。
【０１０４】
しかも、浚渫土１００の処理に伴う排水・排気による環境汚染の問題も解消することができる。
【０１０５】
（実証実験１）
ダイオキシンなどの有機塩素化合物を含む浚渫土１００を約６００ｋｇ（０．４ｍ３）採取し、一連の前工程を経て高圧フィルタープレス１６により約６０％に減容化するとともに、含水比も１３０％から４０〜５０％に落とした。このようにして作成した脱水ケーキ１０７を、解砕機２９に投入するとともに、脱塩素添加剤１１４として粉末の炭酸水素ナトリウムを添加して解砕・混合した。
【０１０６】
このあと、混合ケーキ１１５を混合ケーキホッパ３８に投入し、第一および第二熱処理炉４２，４４により乾燥・浄化処理を行った。
【０１０７】
その結果、浚渫土１００の原泥ではダイオキシン濃度が２７０ｐｇ‐ＴＥＱ／ｇであったが、本発明のこの実施例の処理方法により処理後、０．２８ｐｇ‐ＴＥＱ／ｇに減ったことが確認された。
【０１０８】
ＰＣＢの濃度も処理前の７００００μｇ／ｋｇから約１／１００００の５６μｇ／ｋｇに減量化されていることが確認された。高圧フィルタープレス１６から出る濾水のダイオキシン類は、０．７０ｐｇ‐ＴＥＱ／Ｌであり放流基準値（10ｐｇ‐ＴＥＱ／Ｌ）よりはるかに小さい値であった。さらに、濾水を酸化・中和処理後の放流水は０．００６ｐｇ‐ＴＥＱ／Ｌであった。
【０１０９】
従って、濾水のダイオキシンを処理するための処理プランチを別途設ける必要がないことを確認できた。
また、排ガスのダイオキシン量も０．００００２ｎｇ‐ＴＥＱ／Ｎｍ３と基準値よりはるかに小さい値であった。
【０１１０】
（実証実験２）
３０ｍ３の浚渫土１００を採取し、高圧フィルタープレス１６により約６０％減容化して１８ｍ３の脱水ケーキ１０７を作成し、第一，第二熱処理炉４２，４４で乾燥・浄化処理を行った。
【０１１１】
この実証実験２では、脱塩素添加剤１１４の添加量を、前記実証実験１よりも減らし、脱水ケーキ１０７に対して重量比で５％添加して乾燥・浄化処理を行った。その結果、脱水ケーキ１０７で４６０ｐｇ‐ＴＥＱ／ｇのダイオキシンなどの有機塩素化合物が、処理後に７ｐｇ‐ＴＥＱ／ｇに減じており、この実証実験２においても、ダイオキシン濃度を確実に減少させ得ることが実証された。
濾水についても実証実験１と同様の結果が得られた。
【０１１２】
（実証実験３）
処理後の浄化土１２２を植生土に用いる場合に、植生に適した塩分の含有率とするため、乾燥・浄化処理後、冷却した冷却処理土１２４に対して重量比で約５倍の洗浄水１２６を散布して洗浄後、電気伝導率ＥＣを測定した結果、洗浄前の５．３ｄＳｍ‐１から０．７ｄＳｍ‐１に減っており、植生用の土砂として望ましい１ｄＳｍ‐１以下に減少させ得ることが確認された。
【０１１３】
ＰＨについても、９．５から８．５程度に低減できることが確認された。
【図面の簡単な説明】
【０１１４】
【図１−１】本発明処理方法を実施するための処理装置の一例を示す系統図である。
【図１−２】本発明処理方法を実施するための処理装置の一例を示す系統図である。
【図１−３】本発明処理方法を実施するための処理装置の一例を示す系統図である。
【図１−４】他の処理装置例を示す。
【図２】図１に示す処理装置における混合ケーキの搬入装置、第一熱処理炉、ダクト装置、第二熱処理炉およびダクトの詳細を示す図である。
【図３】同処理装置における被処理土の水洗い装置の平面図である。
【図４】図３のＡ−Ａ線断面図である。
【図５】同水洗い装置のこし網付きネットコンベアの側面図である。
【図６】同こし網付きネットコンベアの一部の斜視図である。
【符号の説明】
【０１１５】
１    真空吸引浚渫船
２    浚渫船
３    浚渫土受入ホッパ
４    コンベア
５    解こう機
６    給水管
７    土砂分離機
８    礫砂洗浄器
９    泥水受け槽
１０  サイクロンポンプ
１１  サイクロン
１２  貯泥槽
１３  スラリー槽
１４  給泥ポンプ
１５  高圧打ち込みポンプ
１６  高圧フィルタープレス
１８  清水槽
１９  給水ポンプ
２１  高圧ジェッタ
２２  濾水槽
２３  酸化・中和槽
２４  凝集槽
２５  シックナ
２６  放流槽
２９  解砕機
２９’解砕混合機
３０  ケーキ受けホッパ
３２  ＲＩ水分・密度計
３３  流量計
３４  脱塩素添加剤ホッパ
３５  自動供給機
３６  混合機
３８  混合ケーキホッパ
３９  混合ケーキ供給コンベア
４０  計量器
４１  混合ケーキの搬入装置
４２  第一熱処理炉
４３  ダクト装置
４４  第二熱処理炉
４５  ダクト
４６  熱風炉
４８  空気−熱風熱交換器
４９  ガス燃焼炉
５０  バグフィルタ
５１  排ガス分析設備
５２  水冷コンベア
５３  ウォータージャケット
５４  冷却処理土ホッパ
５５  水洗い装置
５６  冷却処理土用樋
５８，５９  スタンド
６５  こし網付きネットコンベア
６８  洗浄シャワー装置
６９  排水用樋
７０  洗浄処理土用のベルトコンベア
７１  洗浄処理土ホッパ
１００  浚渫土
１０１  解こう機内に加える水
１０２  泥水
１０３  礫・砂
１０４  スラリー
１０５  ＰＡＣ
１０６  消石灰
１０７  脱水ケーキ
１０７’破砕ケーキ
１０８  濾水
１１０  酸化・中和剤
１１１  凝集材
１１２  スラッジ
１１３  放流水
１１４  脱塩素添加剤
１１５  混合ケーキ
１１６  熱風
１１７  混合ケーキの乾燥処理土
１１８  排気
１１９  水蒸気ガス
１２０  熱ガス
１２２  浄化土
１２３  分解ガス
１２４  冷却処理土
１２５  盛土用有用土
１２６  洗浄水
１２７  洗浄処理土
１２８  農業用有用土
【図１−１】
2005074334.tif 000003
【図１−２】
2005074334.tif 000004
【図１−３】
2005074334.tif 000005
【図１−４】
2005074334.tif 000006
【図２】
2005074334.tif 000007
【図３】
2005074334.tif 000008
【図４】
2005074334.tif 000009
【図５】
2005074334.tif 000010
【図６】
2005074334.tif 000011